(57)【要約】【課題】出力装置から出力される音声による音像の方向を簡便な操作で変更する。【解決手段】所定の空間内に配置された３つ以上の出力装置４３，４４，４５，４６，４７からそれぞれ音声として出力された際に所定の方向を正面とした相異なる位置に定位する音像となる３つ以上の音声信号を入力する音声信号入力部３１Ａ，３１Ｂ，３１Ｃ，３１Ｄ，３１Ｅと、出力装置が配置された空間内における任意の方向を正面方向として指定する正面方向指定部４８と、正面方向が指定されたことに基づいて、入力された３つ以上の音声信号の３つ以上の出力装置４３，４４，４５，４６，４７への信号供給量を出力装置毎にそれぞれ調整する音声信号供給量調整部３２と、信号供給量が調整された音声信号を３つ以上の出力装置４３，４４，４５，４６，４７にそれぞれ供給する３つ以上の出力部とを備えることで実現する。【選択図】　図６
2004023674.tif 000002
【特許請求の範囲】
【請求項１】
所定の空間内に配置され、供給される音声信号に基づいて音声を出力する３つ以上の出力装置に上記音声信号を供給する音声信号供給装置であって、
上記３つ以上の出力装置からそれぞれ音声として出力された際に所定の方向を正面とした相異なる位置に定位する音像となる３つ以上の音声信号を入力する音声信号入力手段と、
上記出力装置が配置された上記空間内における任意の方向を上記正面方向として指定する正面方向指定手段と、
上記正面方向指定手段によって上記正面方向が指定されたことに基づいて、上記音声信号入力手段によって入力された上記３つ以上の音声信号の上記３つ以上の出力装置への信号供給量を上記出力装置毎にそれぞれ調整する音声信号供給量調整手段とを備え、
上記音声信号供給量調整手段によって信号供給量が調整された上記音声信号を上記３つ以上の出力装置にそれぞれ供給するようにしたことを特徴とする音声信号供給装置。
【請求項２】
上記音声信号供給量調整手段は、上記入力手段によって入力される上記３つ以上の音声信号を、上記３つ以上の出力装置のいずれかに供給する供給経路と、
上記正面方向指定手段によって上記正面方向が指定されたことに基づいて、上記供給経路を切り換える複数のスイッチとを備えること
を特徴とする請求項１記載の音声信号供給装置。
【請求項３】
上記音声信号供給量調整手段は、上記正面方向指定手段によって上記正面方向が指定されたことに基づいて、
上記入力手段によって入力される上記３つ以上の音声信号のそれぞれの上記３つ以上の出力装置への供給音量を調整する音量可変器と、
上記音量可変器で供給音量が調整された上記３つ以上の音声信号を、上記出力装置毎に加算する加算手段を備え、
上記加算手段によって上記出力装置毎に加算された上記３つ以上の音声信号を上記３つ以上の出力装置にそれぞれ供給すること
を特徴とする請求項１記載の音声信号供給装置。
【請求項４】
上記出力装置に供給する音声信号に対し、上記正面方向指定手段によって上記正面方向が指定されたことに基づいて、周波数特性を変更する特性変更手段をさらに備えること
を特徴とする請求項１記載の音声信号供給装置。
【請求項５】
上記３つ以上の出力装置からそれぞれ音声として出力された際に所定の方向を正面とした相異なる位置に定位する音像となる３つ以上の音声信号を記録した記録媒体を再生する再生手段を備え、
上記入力手段は、上記再生手段で再生された上記３つ以上の音声信号を入力すること
を特徴とする請求項１記載の音声信号供給装置。
【請求項６】
上記３つ以上の出力装置からそれぞれ音声として出力された際に所定の方向を正面とした相異なる位置に定位する音像となる３つ以上の音声信号を受信する受信手段を備え、
上記入力手段は、上記受信手段で受信された上記３つ以上の音声信号を入力すること
を特徴とする請求項１記載の音声信号供給装置。
【請求項７】
映像信号を入力する映像信号入力手段と、
上記映像信号入力手段によって入力された上記映像信号が供給され、上記供給された映像信号に基づいた映像を出力表示する上記所定の空間内に配置された複数の映像信号出力表示手段と、
上記複数の映像信号出力表示手段から、上記映像信号入力手段によって入力された上記映像信号を供給する上記映像信号出力表示手段を選択する選択手段とを備えること
を特徴とする請求項１記載の音声信号供給装置。
【請求項８】
上記正面方向指定手段は、上記映像信号出力表示手段が上記選択手段によって選択されたことに応じて、上記選択された映像信号出力表示手段を上記正面方向として指定すること
を特徴とする請求項７記載の音声信号供給装置。
【請求項９】
所定の空間内に配置され、供給される音声信号に基づいて音声を出力する３つ以上の出力装置に上記音声信号を供給する音声信号供給方法であって、
上記３つ以上の出力装置からそれぞれ音声として出力された際に所定の方向を正面とした相異なる位置に定位する音像となる３つ以上の音声信号を入力し、
上記出力装置が配置された上記空間内における任意の方向を上記正面方向として指定し、
上記正面方向が指定されたことに基づいて、入力された上記３つ以上の音声信号の上記３つ以上の出力装置への信号供給量を上記出力装置毎にそれぞれ調整し、
上記信号供給量が調整された上記音声信号を上記３つ以上の出力装置にそれぞれ供給すること
を特徴とする音声信号供給方法。
【請求項１０】
入力される上記３つ以上の音声信号を上記３つ以上の出力装置のいずれかに供給する供給経路を、上記正面方向が指定されたことに基づいて選択し、
選択された供給経路によって供給される上記３つ以上の音声信号のそれぞれを上記３つ以上の出力装置に供給すること
を特徴とする請求項９記載の音声信号供給方法。
【請求項１１】
上記正面方向が指定されたことに基づいて、入力される上記３つ以上の音声信号それぞれの上記３つ以上の出力装置への供給音量を調整し、
供給音量が調整された上記３つ以上の音声信号を、上記出力装置毎に加算し、
上記出力装置毎に加算された上記３つ以上の音声信号を上記３つ以上の出力装置にそれぞれ供給すること
を特徴とする請求項９記載の音声信号供給方法。
【請求項１２】
上記出力装置に供給する音声信号に対し、上記正面方向が指定されたことに基づいて、周波数特性を変更すること
を特徴とする請求項９記載の音声信号供給方法。
【請求項１３】
上記３つ以上の出力装置からそれぞれ音声として出力された際に所定の方向を正面とした相異なる位置に定位する音像となる３つ以上の音声信号を記録した記録媒体を再生し、
再生された上記３つ以上の音声信号を入力すること
を特徴とする請求項９記載の音声信号供給方法。
【請求項１４】
上記３つ以上の出力装置からそれぞれ音声として出力された際に所定の方向を正面とした相異なる位置に定位する音像となる３つ以上の音声信号を受信し、
受信された上記３つ以上の音声信号を入力すること
を特徴とする請求項９記載の音声信号供給方法。
【請求項１５】
映像信号を入力し、
供給された映像信号に基づいた映像を出力表示する上記所定の空間内に配置された複数の映像信号出力表示手段から、上記入力した映像信号を供給する所定の映像信号出力表示手段を選択し、
上記選択された映像信号出力表示手段を上記正面方向として指定すること
を特徴とする請求項９記載の音声信号供給方法。
【発明の詳細な説明】
【０００１】
【発明の属する技術分野】
本発明は、マルチチャンネルとして供給される音声コンテンツに関するものであり、ユーザの聴取位置に応じて音像定位を自在に変更する音声信号供給装置及び音声信号供給方法に関する。
【０００２】
【従来の技術】
音声コンテンツを前方３チャンネル、後方２チャンネル、低音域専用チャンネルといった複数のチャンネル（マルチチャンネル）で独立に記録した再生メディア、例えば、ＤＶＤ（Ｄｉｇｉｔａｌ　Ｖｅｒｓａｔｉｌｅ　Ｄｉｓｃ）−Ａｕｄｉｏ、ＤＶＤ−Ｖｉｄｅｏ、ＳＡＣＤ（Ｓｕｐｅｒ　Ａｕｄｉｏ　Ｃｏｍｐａｃｔ　Ｄｉｓｃ）などが登場してきている。
【０００３】
上記マルチチャンネルで記録された再生メディアは、上記各再生メディア専用の再生システムで再生され、チャンネル数に応じた複数のスピーカーからの音声出力により、従来の２チャンネルステレオでは味わえなかった優れた臨場感のある音声をユーザに提供することができる。
【０００４】
図１１にＩＴＵ−Ｒ（Ｉｎｔｅｒｎａｔｉｏｎａｌ　Ｔｅｌｅｃｏｍｍｕｎｉｃａｔｉｏｎ　Ｕｎｉｏｎ−　Ｒａｄｉｏ　ｃｏｍｍｕｎｉｃａｔｉｏｎ　ｓｅｃｔｏｒ）勧告ＢＳ．７７５規格が推奨しているマルチチャンネル再生時のスピーカー配置を示す。このスピーカー配置は、前方３チャンネル（左フロントチャンネル、右フロントチャンネル、フロントセンターチャンネル）、後方２チャンネル（左サラウンドチャンネル、右サラウンドチャンネル）の５チャンネルを基本としている。
【０００５】
低音域専用チャンネル（ＬＦＥ：Ｌｏｗ　Ｆｒｅｑｕｅｎｃｙ　Ｅｆｆｅｃｔ）からの低音域を受け持つＬＦＥスピーカーは音の定位に関しては無指向であるため部屋空間の条件に合わせて自由に設置することができる。
【０００６】
【発明が解決しようとする課題】
ところが、上述したようなマルチチャンネルで記録された再生メディアを再生する再生システムでは、再生した音声を出力するスピーカーに１対１で音声信号を供給する出力端子が、例えば、”前方左側（左フロント）”と規定されているため、接続されたスピーカーに対して前方左側の成分の音声信号しか供給することができない。
【０００７】
ここで、図１２に示す再生システム３００において、左フロント音声信号、右フロント音声信号、左サラウンド音声信号、右サラウンド音声信号の４チャンネルの音声信号が記録されたマルチチャンネルに対応した記録媒体３５０を再生する場合について説明をする。
【０００８】
再生システム３００は、図示しない再生処理部によって記録媒体３５０を再生し、再生した音声信号を信号処理部３０１にて所定の信号処理をし、左フロントチャンネル３０１Ａから左フロント音声信号、右フロントチャンネル３０１Ｂから右フロント音声信号、左サラウンドチャンネル３０１Ｃから左サラウンド信号、右サラウンドチャンネル３０１Ｄから右サラウンド信号を増幅器３０２，３０３，３０４，３０５を介して、スピーカー３０６，３０７，３０８，３０９に供給する。
【０００９】
このように、再生システム３００において、各スピーカーは、１つのチャンネルから供給される音声信号だけを出力することになる。つまり、再生システム３００の各スピーカーによって出力される音声によって作られる音像は、図１３に示すように所定の１方向のみを正面とするように定位することになる。この例においては、左フロントスピーカー３０６と右フロントスピーカー３０７との中間位置をユーザが臨む方向を正面とする音像定位が得られる。
【００１０】
しかし、ユーザの生活様式は各人様々であるため、上述のようなマルチチャンネルで記録された再生メディアを楽しむ場合においても、固定的な位置、つまり１方向だけを向いて楽しむということは保証できない。例えば、ユーザはある時は、ソファーに座りながら大音量で音楽を楽しむ場合もあるだろうし、ある時は、同じ部屋空間内においてソファーとは逆向きに設置された机の前に座って小さな音で音楽を聴くといったことも想定される。
【００１１】
このような多様な生活様式に従来の再生システムを適合させるには、ユーザは、聴取する方向を変える度に、配置したスピーカーの配置そのものを変更するか、スピーカーの接続結線を変更するか、スピーカーに音声信号を供給する出力端子の前段において接続結線を変更するといった大変、煩雑な作業を行わねばならないといった問題がある。
【００１２】
また、音像の定位方向が異なるスピーカーの組み合わせをいくつか用意し、スピーカーへの音声信号供給側での出力端子もそれに応じて増加させることで、ユーザが聴取する方向を変える度にスイッチなどで音声信号を供給するスピーカーの組み合わせを切り換えることで対応することは可能であるが、マルチチャンネルのチャンネル数以上のスピーカーが必要となり、コストの増加、スピーカー配置スペースの確保が困難であるといった問題がある。
【００１３】
そこで、本発明は上述したような問題を解決するために案出されたものであり、マルチチャンネルで音声信号を記録された記録媒体を再生する場合に、新たな配線処理、スピーカー装置の移動、スピーカー装置の増設などといった煩雑な作業をすることなし、出力音声の音像方向を自由に変更可能な音声信号供給装置及び音声信号供給方法を提供することを目的とする。
【００１４】
【課題を解決するための手段】
上述の目的を達成するために、本発明に係る音声信号供給装置は、所定の空間内に配置され、供給される音声信号に基づいて音声を出力する３つ以上の出力装置に上記音声信号を供給する音声信号供給装置であって、上記３つ以上の出力装置からそれぞれ音声として出力された際に所定の方向を正面とした相異なる位置に定位する音像となる３つ以上の音声信号を入力する音声信号入力手段と、上記出力装置が配置された上記空間内における任意の方向を上記正面方向として指定する正面方向指定手段と、上記正面方向指定手段によって上記正面方向が指定されたことに基づいて、上記音声信号入力手段によって入力された上記３つ以上の音声信号の上記３つ以上の出力装置への信号供給量を上記出力装置毎にそれぞれ調整する音声信号供給量調整手段とを備え、上記音声信号供給量調整手段によって信号供給量が調整された上記音声信号を上記３つ以上の出力装置にそれぞれ供給するようにしたことを特徴とする。
【００１５】
また、上述の目的を達成するために、本発明に係る音声信号供給方法は、所定の空間内に配置され、供給される音声信号に基づいて音声を出力する３つ以上の出力装置に上記音声信号を供給する音声信号供給方法であって、上記３つ以上の出力装置からそれぞれ音声として出力された際に所定の方向を正面とした相異なる位置に定位する音像となる３つ以上の音声信号を入力し、上記出力装置が配置された上記空間内における任意の方向を上記正面方向として指定し、上記正面方向指定手段によって上記正面方向が指定されたことに基づいて、入力された上記３つ以上の音声信号の上記３つ以上の出力装置への信号供給量を上記出力装置毎にそれぞれ調整し、上記信号供給量が調整された上記音声信号を上記３つ以上の出力装置にそれぞれ供給することを特徴とする。
【００１６】
【発明の実施の形態】
以下、本発明に係る音声信号供給装置及び音声信号供給方法の実施の形態を図面を参照にして詳細に説明する。
【００１７】
まず、図１を用いて、本発明の第１の実施の形態として示す再生システム１０の構成について説明する。
【００１８】
再生システム１０は、信号処理部１１と、音声信号切換配分器１２と、特性変更器１３，１４，１５，１６と、増幅器１７，１８，１９，２０と、スピーカー２１，２２，２３，２４と、操作部２５と、制御部２６とを備えている。
【００１９】
再生システム１０は、記録媒体１Ａを装着し、装着した記録媒体１Ａに記録された信号を図示しない再生処理部で再生し、信号処理部１１に供給する。
【００２０】
記録媒体１Ａは、音声コンテンツが記録された記録媒体である。記録媒体１Ａに記録された音声コンテンツは、前方３チャンネル（左フロントチャンネル、フロントセンターチャンネル、右フロントチャンネル）、後方２チャンネル（左サラウンドチャンネル、右サラウンドチャンネル）、低音域専用チャンネル（ＬＦＥ）を独立したチャンネルとして記録するマルチチャンネルに対応している。
【００２１】
例えば、記録媒体１Ａは、マルチチャンネルに対応した音声コンテンツが記録されたＳＡＣＤである。
この第１の実施の形態においては、記録媒体１Ａから再生された音声信号のうち、左フロントチャンネル、右フロントチャンネル、左サラウンドチャンネル、右サラウンドチャンネルの４つのチャンネルにて供給される音声信号の処理について述べる。
【００２２】
信号処理部１１は、図示しない再生処理部から供給された信号から同期検出、信号復調、エラー訂正処理、音声信号のデコードを行い、デコードされた音声信号を音声信号切換配分器１２に供給する。
【００２３】
信号処理部１１が、音声信号切換配分器１２に供給する音声信号は、左フロントチャンネル１１Ａ、右フロントチャンネル１１Ｂ、左サラウンドチャンネル１１Ｃ、右サラウンドチャンネル１１Ｄとして供給する４つの音声信号である。
【００２４】
以下の説明においては、左フロントチャンネル１１Ａ、右フロントチャンネル１１Ｂ、左サラウンドチャンネル１１Ｃ、右サラウンドチャンネル１１Ｄとして供給する音声信号をそれぞれ、左フロント音声信号、右フロント音声信号、左サラウンド音声信号、右サラウンド音声信号と呼ぶ。
【００２５】
音声信号切換配分器１２は、信号処理部１１から左フロントチャンネル１１Ａ、右フロントチャンネル１１Ｂ、左サラウンドチャンネル１１Ｃ、右サラウンドチャンネル１１Ｄにて供給され、特性変更器１３，１４，１５，１６に供給する左フロント音声信号、右フロント音声信号、左サラウンド音声信号、右サラウンド音声信号の信号供給量の配分を、操作部２５に入力されるユーザの指示に基づいた制御部２６の制御に応じて変更する。
【００２６】
例えば、音声信号切換配分器１２は、図２に示すように、特性変更器１３，１４，１５，１６に供給する信号供給量の配分をスイッチ１０１ａ，１０２ｂ，１０３ｃ，１０４ｄ，１１１ａ，１１２ｂ，１１３ｃ，１１４ｄ，１２１ａ，１２２ｂ，１２３ｃ，１２４ｄ，１３１ａ，１３２ｂ，１３３ｃ，１３４ｄの１６個のスイッチによって変更する。
【００２７】
信号処理部１１から左フロントチャンネル１１Ａで供給する左フロント音声信号は、スイッチ１０１ａ，１１１ａ，１２１ａ，１３１ａのいずれかを動作させることで特性変更器１３〜特性変更器１６のいずれかに供給される。
【００２８】
信号処理部１１から右フロントチャンネル１１Ｂで供給する右フロント音声信号は、スイッチ１０２ｂ，１１２ｂ，１２２ｂ，１３２ｂのいずれかを動作させることで特性変更器１３〜特性変更器１６のいずれかに供給される。
【００２９】
信号処理部１１から左サラウンドチャンネル１１Ｃで供給する左サラウンド音声信号は、スイッチ１０３ｃ，１１３ｃ，１２３ｃ，１３３ｃのいずれかを動作させることで特性変更器１３〜特性変更器１６のいずれかに供給される。
【００３０】
信号処理部１１から左サラウンドチャンネル１１Ｄで供給する右サラウンド音声信号は、スイッチ１０４ｄ，１１４ｄ，１２４ｄ，１３４ｄのいずれかを動作させることで特性変更器１３〜特性変更器１６のいずれかに供給される。
【００３１】
特性変更器１３，１４，１５，１６は、音声信号切換配分器１２から供給される音声信号（それぞれの特性変更器に左フロント音声信号、右フロント音声信号、左サラウンド音声信号、右サラウンド音声信号のいずれかが供給される）が、後段のスピーカー２１，２２，２３，２４の特性に合致した信号となるように音声信号の周波数特性、音量などの調節をする。
【００３２】
スピーカー２１，２２，２３，２４の特性がほぼ揃っている場合には、この特性変更器１３，１４，１５，１６を省略できることはもちろんである。
【００３３】
しかし、例えば、左サラウンド音声信号、右サラウンド音声信号が供給されるリアスピーカーが、フロントスピーカーに較べて小型であり、再生帯域も異なっている場合がある。
【００３４】
あるいは、スピーカー２１，２２，２３，２４が同じ特性を備えているとしても、設置する環境によっては、それらのスピーカーすべてが常にユーザの聴取位置に向けて設置されているとは限らず、さらに、ユーザの聴取方向のみならず聴取位置も変化する場合にはユーザの聴取位置は各スピーカーの正面方向からずれた位置となることが多い。一般に、スピーカーは指向特性を持ち、スピーカーの正面方向からずれた方向では、特に高音域の再生出力が低下する傾向がある。
【００３５】
したがって、このような場合には特性変更器１３，１４，１５，１６は、音声信号切換配分器１２から供給される音声信号を後段のスピーカー２１，２２，２３，２４の特性に応じて加工処理をするために挿入される。
【００３６】
また、特性変更器１３，１４，１５，１６は、ユーザが自身の嗜好に基づいて、各スピーカーに供給する音声信号に特別な処理をしたい場合、例えば、低音域を強調するためにバスブーストをかけるといった処理や、フロントスピーカーの音量を大きくするといった処理も実行することができる。
【００３７】
特性変更器１３，１４，１５，１６において、多数の周波数特性や音量の設定を行う場合は、例えばＤＳＰ（Ｄｉｇｉｔａｌ　Ｓｉｇｎａｌ　Ｐｒｏｃｅｓｓｏｒ）による実装が望ましい。
【００３８】
ユーザの嗜好に応じて特別な処理を実行する場合は、ユーザの嗜好に基づいて設定したパラメータを図示しない所定のＲＡＭ（Ｒａｎｄｏｍ　Ａｃｃｅｓｓ　Ｍｅｍｏｒｙ）に記憶させることで、特性変更器１３，１４，１５，１６に音声信号切換配分器１２から供給される音声信号が切り換わった場合でも、パラメータをＲＡＭから読み出して、例えばＤＳＰの係数メモリにロードすることにより、ユーザ設定を反映させることができる。
【００３９】
増幅器１７，１８，１９，２０は、特性変更器１３，１４，１５，１６のそれぞれから供給された音声信号を増幅して、スピーカー２１，２２，２３，２４にそれぞれ供給する。
【００４０】
スピーカー２１，２２，２３，２４は、増幅器１７，１８，１９，２０でそれぞれ増幅されて供給された音声信号を音声として出力する出力手段である。スピーカー２１，２２，２３，２４は、図３に示すような空間に配置される。図３に示す空間は、例えば、ユーザが日常生活する部屋、会議場、発表会場、劇場などである。
【００４１】
操作部２５は、再生システム１０を操作するためのユーザーインターフェースである。ユーザは、当該操作部２５から所定のコマンドを入力して、再生システム１０を制御する。また、操作部２５は、再生システム１０を制御するためのコマンドの入力をＧＵＩ（Ｇｒａｐｈｉｃａｌ　Ｕｓｅｒ　Ｉｎｔｅｒｆａｃｅ）などを用いて操作できるような表示パネルを備えていてもよい。
【００４２】
また、操作部２５は、上記コマンドを入力して再生システム１０を遠隔操作するリモートコントローラであってもよい。
【００４３】
制御部２６は、操作部２５からユーザによって入力されるコマンドに応じて再生システム１０の各種機能を統括的に制御する制御部である。
【００４４】
続いて、再生システム１０の音声信号切換配分器１２の動作について説明をする。
【００４５】
上述したように、図３で示す空間にスピーカー２１，２２，２３，２４が配置されているとする。ユーザが図３に示す空間において、矢印Ａ方向を正面とし、記録媒体１Ａの再生を実行する場合を考えると、スピーカー２１は、左フロントスピーカー、スピーカー２２は、右フロントスピーカー、スピーカー２３は、左サラウンドスピーカー、スピーカー２４は、右サラウンドスピーカーとなる。
【００４６】
したがって、スピーカー２１には左フロントチャンネル１１Ａからの左フロント音声信号、スピーカー２２には右フロントチャンネル１１Ｂからの右フロント音声信号、スピーカー２３には左サラウンドチャンネル１１Ｃからの左サラウンド音声信号、スピーカー２４には右サラウンドチャンネル１１Ｄからの右サラウンド音声信号がそれぞれ供給される必要がある。
【００４７】
そのため、ユーザは、矢印Ａの方向を正面として向く場合、ユーザの聴取方向である矢印Ａ方向を正面として音像を定位させる音声信号が特性変更器１３，１４，１５，１６、増幅器１７，１８，１９，２０を介してスピーカー２１，２２，２３，２４に供給されるように操作部２５からコマンドを入力する。
【００４８】
ユーザによって操作部２５から入力されたコマンドは、制御部２６で音声信号切換配分器１２が備える各スイッチを動作させる制御信号に変換され、制御部２６から制御信号が音声信号切換配分器１２に出力される。音声信号切換配分器１２は、この制御信号に応じて、各スイッチをＯＮ又はＯＦＦさせる。
【００４９】
例えば、図３に示す矢印Ａ方向を正面とする音像を定位させるには、スイッチ１０１ａ、スイッチ１１２ｂ、スイッチ１２３ｃ、スイッチ１３４ｄをＯＮさせ、その他のスイッチはＯＦＦとなるように制御する。
【００５０】
これにより、スピーカー２１へは左フロントチャンネル１１Ａから左フロント音声信号が供給され、スピーカー２２には右フロントチャンネル１１Ｂから右フロント音声信号が供給され、スピーカー２３には左サラウンドチャンネル１１Ｃから左サラウンド音声信号が供給され、スピーカー２４には右サラウンドチャンネル１１Ｄから右サラウンド音声信号が供給されることになる。
【００５１】
また、図３に示す矢印Ｂ方向を正面とするようにユーザが向きを変えた場合、つまり、矢印Ｂ方向を正面とする音像を定位させる場合には、スイッチ１３１ａ、スイッチ１２２ｂ、スイッチ１１３ｃ、スイッチ１０４ｄをＯＮさせ、その他のスイッチはＯＦＦとなるように制御する。
【００５２】
これにより、スピーカー２４へは左フロントチャンネル１１Ａから左フロント音声信号が供給され、スピーカー２３には右フロントチャンネル１１Ｂから右フロント音声信号が供給され、スピーカー２２には左サラウンドチャンネル１１Ｃから左サラウンド音声信号が供給され、スピーカー２１には右サラウンドチャンネル１１Ｄから右サラウンド音声信号が供給されることになる。
【００５３】
このようにして、再生システム１０は、図３に示すような空間にスピーカー２１，２２，２３，２４が配置された場合に、各スピーカーから出力される音声による音像をユーザが正面とする任意の方向に定位させることができる。
【００５４】
なお、上述した操作部２５へのコマンド入力は、例えば、図２に示した各スイッチのＯＮ、ＯＦＦを直接指定するようにしてもよいし、音声信号の種類とスピーカーとを組み合わせて指定するようにしてもよい。
【００５５】
また、図示しないＲＡＭなどに、音声信号切換配分器１２から特性変更器１３，１４，１５，１６へ供給する音声信号の各種パターンをプリセットすることも可能である。これにより、ユーザは、空間内を移動し正面とする方向を変更した場合において、操作部２５からコマンドを入力しＲＡＭに記憶されたパターンを読み出すことで、各スピーカーから出力される音声の変更を簡便に実行させることができる。
【００５６】
図１に示す実施の形態では、音声信号切換配分器１２は、マトリクス状に構成されたスイッチ群を使用して説明したが、これに限らず、例えばマイコンやＤＳＰにより各音声信号の配分制御を行うようにしてもよい。また、特性変更器１３，１４，１５，１６は、音声信号切換配分器１２の後段に接続されたが、音声信号切換配分器１２の前段に接続されるように構成してもよいことはもちろんである。
【００５７】
なお、記録媒体１Ａから再生されたフロントセンターチャンネル音声信号は、この実施の形態では取り扱わないものとしたが、後述の実施の形態同様に、３ｄＢ程度の信号減衰器を介して、左フロント音声信号および右フロント音声信号に加えて出力するようにしてもよい。また、低音域専用チャンネル（ＬＦＥ）音声信号は、上述の音声信号切換配分器１２には供給されず、そのまま図示しない増幅器およびＬＦＥスピーカーに供給される。上述のように、音声信号の低音域成分は音の定位に関して無指向であるので、正面方向の変更にかかわらず固定された位置のＬＦＥスピーカーから放音するように構成して不都合はない。
【００５８】
続いて、図４を用いて、本発明の第２の実施の形態として示す再生システム１０’の構成について説明をする。
【００５９】
再生システム１０’は、第１の実施の形態として示した再生システム１０に、モニター２７、モニター２８、モニター切換器２９が付加されたシステムとなっている。
【００６０】
また、モニター２７、モニター２８、モニター切換器２９が付加されたことによって、再生システム１０の信号処理部１１、操作部２５、制御部２６は、映像信号処理機能を付加した信号処理部１１’、モニター２７、モニター２８に関する操作機能を付加した操作部２５’、モニター切換器２９を制御する機能を付加した制御部２６’に変更される。
【００６１】
再生システム１０’は、上述したようにマルチチャンネルに対応した音声コンテンツを記憶した記録媒体１Ａの他に、マルチチャンネルに対応した音声コンテンツと映像コンテンツとを記録した記録媒体１Ｂを再生することができる。
【００６２】
例えば、記録媒体１Ｂは、映像コンテンツ、マルチチャンネルに対応した音声コンテンツが記録されたＤＶＤ−Ｖｉｄｅｏなどである。
【００６３】
モニター２７，２８は、信号処理部１１’からモニター切換器２９を介して供給される映像信号を出力表示する。モニター２７、モニター２８は、例えば、ＣＲＴディスプレイ、液晶ディスプレイ、プラズマディスプレイなどであり、モニターの種類、画面サイズ、解像度などは同一でなくてもよい。例えば、モニター２７は、画面サイズが５０インチのプラズマディスプレイであり、モニター２８は、画面サイズが１５インチの液晶ディスプレイなどである。
【００６４】
モニター切換器２９は、モニター２７、モニター２８への映像信号入力を切り換えるスイッチである。モニター切換器２９は、操作部２５’からユーザによって入力されるコマンドに応じた制御部２６’の制御によって動作する。
【００６５】
モニター切換器２９による切換動作によって、信号処理部１１から映像信号がモニター２７、又は、モニター２８に供給される。
【００６６】
続いて、再生システム１０’の音声信号切換配分器１２の動作について説明をする。
【００６７】
図５に示すような空間に、本発明の第２の実施の形態として示す再生システム１０’のスピーカー２１，２２，２３，２４、モニター２７、モニター２８を配置したとする。図５に示す空間は、例えば、ユーザが日常生活する部屋、会議場、発表会場、劇場などである。
【００６８】
ユーザは、操作部２５’から映像を出力するモニターをモニター２７とするコマンドを入力すると、制御部２６’からは音声信号切換配分器１２及びモニター切換器２９を制御する制御信号が出力される。
【００６９】
モニター２７は、図３に示した再生システム１０のスピーカーの配置図から、矢印Ａ方向を正面とする向きと同じ方向に設置されていることが分かるので、モニター２７の方向を向くことは、矢印Ａ方向を向くことと同じである。
【００７０】
したがって、モニター２７を正面として音像を定位させるには、音声信号切換配分器１２のスイッチ１０１ａ、スイッチ１１２ｂ、スイッチ１２３ｃ、スイッチ１３４ｄをＯＮさせ、その他のスイッチはＯＦＦとなるように制御する。
【００７１】
また、音声信号切換配分器１２で上記スイッチング動作が行われると同時に、モニター切換器２９もモニター２７に映像信号が供給されるように切り換わる。
【００７２】
続いて、ユーザが操作部２５’から映像を出力するモニターをモニター２７からモニター２８に切り換えるよう指示をするコマンドを入力すると、制御部２６’からは音声信号切換配分器１２及びモニター切換器２９を制御する制御信号が出力される。
【００７３】
モニター２８は、矢印Ｃ方向をユーザが正面とする向きに設置されているため、スピーカー２３が左フロントスピーカー、スピーカー２１が右フロントスピーカー、スピーカー２４が左サラウンドスピーカー、スピーカー２２が右サラウンドスピーカーとなる。
【００７４】
したがって、スピーカー２３には左フロントチャンネル１１Ａから左フロント音声信号が供給され、スピーカー２１には右フロントチャンネル１１Ｂから右フロント音声信号が供給され、スピーカー２４には左サラウンドチャンネル１１Ｃから左サラウンド音声信号が供給され、スピーカー２２には右サラウンドチャンネル１１Ｄから右サラウンド音声信号が供給される必要がある。
【００７５】
制御部２６’は、制御信号に応じて、音声信号切換配分器１２のスイッチ１２１ａ、スイッチ１０２ｂ、スイッチ１３３ｃ、スイッチ１１４ｄをＯＮにし、その他のスイッチがＯＦＦとなるように制御をする。
【００７６】
また、音声信号切換配分器１２で上記スイッチング動作が行われると同時に、モニター切換器２９もモニター２８に映像信号が供給されるように切り換わる。
【００７７】
これにより、スピーカー２３には左フロントチャンネル１１Ａから左フロント音声信号が供給され、スピーカー２１には右フロントチャンネル１１Ｂから右フロント音声信号が供給され、スピーカー２４には左サラウンドチャンネル１１Ｃから左サラウンド音声信号が供給され、スピーカー２２には右サラウンドチャンネル１１Ｄから右サラウンド音声信号が供給されることになる。
【００７８】
なお、上述の説明において、モニター２７，２８を切り換えるコマンドに応じて、音声信号切換配分器１２が連動して動作するように記述しているが、モニター２７，２８の切換動作と、音声信号切換配分器１２の動作は、それぞれ異なるコマンドを操作部２５’から入力することで独立して実行するようにしてもよい。
【００７９】
このようにして、再生システム１０は、図５に示すような空間にスピーカー２１，２２，２３，２４が配置された場合に、各スピーカーから出力される音声による音像をモニター２７，２８が配置された方向を正面とする方向、又は、ユーザが正面とする任意の方向に定位させることができる。
【００８０】
続いて、図６に示す本発明の第３の実施の形態として示す再生システム３０の構成について説明をする。
【００８１】
再生システム３０は、信号処理部３１と、音声信号切換配分器３２と、特性変換器３３，３４，３５，３６，３７と、増幅器３８，３９，４０，４１，４２と、スピーカー４３，４４，４５，４６，４７と、操作部４８と、制御部４９と、モニター５０，５１と、モニター切換器５２とを備える。
【００８２】
再生システム３０は、上述した記録媒体１Ａ、又は、記録媒体１Ｂを装着し、装着した記録媒体１Ａ、又は、記録媒体１Ｂに記録され信号を図示しない再生処理部で再生をし、信号処理部３１に供給する。
【００８３】
以下の説明においては、再生システム３０に装着し、再生をする記録媒体としては記録媒体１Ｂとし、図示しない再生処理部から、後段の信号処理部３１には、映像信号と、音声信号とが供給されることとする。この第３の実施の形態においては、この音声信号として、左フロントチャンネル、右フロントチャンネル、左サラウンドチャンネル、右サラウンドチャンネル、フロントセンターチャンネルの５つのチャンネルにて供給される音声信号の処理について述べる。
【００８４】
信号処理部３１は、図示しない再生処理部から供給された信号から同期検出、復号復調、エラー訂正処理、音声信号、映像信号のデコードを行い、デコードされた音声信号を音声信号切換配分器３２に供給し、映像信号をモニター切換器５２に供給する。
【００８５】
信号処理部３１が、音声信号切換配分器３２に供給する音声信号は、左フロントチャンネル３１Ａ、右フロントチャンネル３１Ｂ、左サラウンドチャンネル３１Ｃ、右サラウンドチャンネル３１Ｄ、フロントセンターチャンネル３１Ｅとして供給する５つの音声信号である。
【００８６】
以下の説明においては、左フロントチャンネル３１Ａ、右フロントチャンネル３１Ｂ、左サラウンドチャンネル３１Ｃ、右サラウンドチャンネル３１Ｄ、フロントセンターチャンネル３１Ｅとして供給する音声信号をそれぞれ、左フロント音声信号、右フロント音声信号、左サラウンド音声信号、右サラウンド音声信号、フロントセンター音声信号と呼ぶ。
【００８７】
音声信号切換配分器３２は、信号処理部３１から左フロントチャンネル３１Ａ、右フロントチャンネル３１Ｂ、左サラウンドチャンネル３１Ｃ、右サラウンドチャンネル３１Ｄ、フロントセンターチャンネル３１Ｅにて供給され、特性変更器３３，３４，３５，３６，３７に供給する左フロント音声信号、右フロント音声信号、左サラウンド音声信号、右サラウンド音声信号、フロントセンター音声信号の信号供給量の配分を、操作部４８に入力されるユーザの指示に基づいた制御部４９の制御に応じて変更する。
【００８８】
例えば、音声信号切換配分器３２は、図７に示すように、供給される左フロント音声信号の出力音量を調節する音量可変器２０１ａ，２０２ａ，２０３ａ，２０４ａ，２０５ａを備えた音量可変器群２００と、供給される右フロント音声信号の出力音量を調節する音量可変器２１１ｂ，２１２ｂ、２１３ｂ，２１４ｂ，２１５ｂを備えた音量可変器群２１０と、供給される左サラウンド音声信号の出力音量を調節する音量可変器２２１ｃ，２２２ｃ，２２３ｃ，２２４ｃ，２２５ｃを備えた音量可変器群２２０と、供給される右サラウンド音声信号の出力音量を調節する音量可変器２３１ｄ，２３２ｄ，２３３ｄ，２３４ｄ，２３５ｄを備えた音量可変器群２３０と、供給されるフロントセンター音声信号の出力音量を調節する音量可変器２４１ｅ，２４２ｅ，２４３ｅ，２４４ｅ，２４５ｅを備えた音量可変器群２４０とを備えている。
【００８９】
さらに、音声信号切換配分器３２は、音量可変器２０１ａ，２１１ｂ，２２１ｃ，２３１ｄ，２４１ｅからの出力を加算して出力する加算器２５１と、音量可変器２０２ａ，２１２ｂ，２２２ｃ，２３２ｄ，２４２ｅからの出力を加算して出力する加算器２５２と、音量可変器２０３ａ，２１３ｂ，２２３ｃ，２３３ｄ，２４３ｅからの出力を加算して出力する加算器２５３と、音量可変器２０４ａ，２１４ｂ，２２４ｃ，２３４ｄ，２４４ｅからの出力を加算して出力する加算器２５４と、音量可変器２０５ａ，２１５ｂ，２２５ｃ，２３５ｄ，２４５ｅからの出力を加算して出力する加算器２５５とを備えている。
【００９０】
音量可変器２０１ａ，２１１ｂ，２２１ｃ，２３１ｄ，２４１ｅからの出力は、加算器２５１で加算され特性変換器３３へ供給され、音量可変器２０２ａ，２１２ｂ，２２２ｃ，２３２ｄ，２４２ｅからの出力は、加算器２５２で加算され特性変換器３４へ供給され、音量可変器２０３ａ，２１３ｂ，２２３ｃ，２３３ｄ，２４３ｅからの出力は、加算器２５２で加算され特性変換器３５へ供給され、音量可変器２０４ａ，２１４ｂ，２２４ｃ，２３４ｄ，２４４ｅからの出力は、加算器２５４で加算され特性変換器３６へ供給され、音量可変器２０５ａ，２１５ｂ，２２５ｃ，２３５ｄ，２４５ｅからの出力は、加算器２５５で加算され特性変換器３７へ供給される。
【００９１】
上記各音量可変器は、最大音量に設定するとスイッチがＯＮされたのと同等となり、最小音量に設定するとスイッチがＯＦＦされたのと同等の状態となる。また、上記各音量可変器は、任意の音量に設定することも可能である。
【００９２】
特性変更器３３，３４，３５，３６，３７は、音声信号切換配分器３２から供給される音声信号が後段のスピーカー４３，４４，４５，４６，４７の特性に合致した信号となるように音声信号の周波数特性、音量の調節をする。
【００９３】
この実施の形態においても、スピーカー４３，４４，４５，４６，４７の特性がほぼ揃っている場合には、この特性変更器３３，３４，３５，３６，３７を省略できることはもちろんである。
【００９４】
しかし、例えば、左サラウンド音声信号、右サラウンド音声信号が供給されるリアスピーカーが、フロントスピーカーに較べて小型であり、再生帯域も異なっている場合がある。
【００９５】
したがって、このような場合には特性変更器３３，３４，３５，３６，３７は、音声信号切換配分器３２から供給される音声信号を後段のスピーカー４３，４４，４５，４６，４７の特性に応じて加工処理をするために挿入される。
【００９６】
また、特性変更器３３，３４，３５，３６，３７は、ユーザが自身の嗜好に基づいて、各スピーカーに供給する音声信号に特別な処理をしたい場合、例えば、低音域を強調するためにバスブーストをかけるといった処理や、フロントスピーカーの音量を大きくするといった処理も実行することができる。
【００９７】
ユーザの嗜好に応じて特別な処理を実行する場合は、ユーザの嗜好に基づいて設定したパラメータを図示しない所定のＲＡＭに記憶させることで、特性変更器３３，３４，３５，３６，３７に音声信号切換配分器３２から供給される音声信号が切り換わった場合でも、パラメータをＲＡＭから読み出して、ユーザ設定を反映させることができる。
【００９８】
増幅器３８，３９，４０，４１，４２は、特性変更器３３，３４，３５，３６，３７のそれぞれから供給された音声信号を増幅して、スピーカー４３，４４，４５，４６，４７にそれぞれ供給する。
【００９９】
スピーカー４３，４４，４５，４６，４７は、増幅器３８，３９，４０，４１，４２でそれぞれ増幅されて供給された音声信号を音声として出力する出力手段である。スピーカー４３，４４，４５，４６，４７は、例えば、図８に示すような空間に配置される。図８に示す空間は、例えば、ユーザが日常生活する部屋、会議場、発表会場、劇場などである。
【０１００】
操作部４８は、再生システム３０を操作するためのユーザーインターフェースである。ユーザは、当該操作部４８から所定のコマンドを入力して、再生システム３０を制御する。また、操作部４８は、再生システム３０を制御するためのコマンドの入力をＧＵＩなどを用いて操作できるような表示パネルを備えていてもよい。
【０１０１】
また、操作部４８は、上記コマンドを入力して再生システム３０を遠隔操作するリモートコントローラであってもよい。
【０１０２】
制御部４９は、操作部４８からユーザによって入力されるコマンドに応じて再生システム３０の各種機能を統括的に制御する制御部である。
【０１０３】
モニター５０、モニター５１は、信号処理部３１からモニター切換器５２を介して供給される映像信号を出力表示する。モニター５０、モニター５１は、例えば、ＣＲＴディスプレイ、液晶ディスプレイ、プラズマディスプレイなどであり、画面サイズ、解像度など同一でなくてもよい。例えば、モニター５０は、画面サイズが５０インチのプラズマディスプレイであり、モニター５１は、画面サイズが１５インチの液晶ディスプレイなどである。
【０１０４】
モニター切換器５２は、モニター５０、モニター５１への映像信号入力を切り替えるスイッチであり、モニター切換器５２は、操作部４８からユーザによって入力されるコマンドに応じた制御部４９の制御によって動作する。
【０１０５】
モニター切換器５２による切換動作によって、信号処理部３１から映像信号がモニター５０、又は、モニター５１に供給される。
【０１０６】
続いて、再生システム３０の音声信号切換配分器３２の動作について説明をする。
【０１０７】
上述したように、図８で示すような空間にスピーカー４３，４４，４５，４６，４７が配置されているとする。ユーザが図８に示す空間において、矢印Ａ方向を正面とし、記録媒体１Ｂの再生を実行する場合を考えると、スピーカー４３は、左フロントスピーカー、スピーカー４４は、右フロントスピーカー、スピーカー４５は、左サラウンドスピーカー、スピーカー４６は、右サラウンドスピーカー、スピーカー４７は、フロントセンタースピーカーとなる。
【０１０８】
したがって、スピーカー４３には左フロントチャンネル３１Ａからの左フロント音声信号、スピーカー４４には右フロントチャンネル３１Ｂからの右フロント音声信号、スピーカー４５には左サラウンドチャンネル３１Ｃからの左フロント音声信号、スピーカー４６には右サラウンドチャンネル３１Ｄからの右サラウンド音声信号、スピーカー４７にはフロントセンターチャンネル３１Ｅからのフロントセンター音声信号がそれぞれ供給される必要がある。
【０１０９】
ユーザは、操作部４８から映像を出力するモニターをモニター５０とするコマンドを入力すると制御部４９からは音声信号切換配分器３２及びモニター切換器５２を制御する制御信号が出力される。
【０１１０】
モニター５０は、図８より、矢印Ａ方向を正面とする向きに設置されている。したがって、図８における矢印Ａ方向を正面として音像を定位させるには、音量可変器群２００でが音量可変器２０１ａを最大音量とし、それ以外を最小音量にとなるよう制御し、音量可変器群２１０でが音量可変器２１２ｂを最大音量とし、それ以外を最小音量となるよう制御し、音量可変器群２２０でが音量可変器２２３ｃを最大音量とし、それ以外を最小音量となるよう制御し、音量可変器群２３０でが音量可変器２３４ｄを最大音量とし、それ以外を最小音量となるよう制御し、音量可変器群２４０でが音量可変器２４５ｅを最大音量とし、それ以外を最小音量となるように制御する。
【０１１１】
また、音声信号切換配分器３２で上記制御動作が行われると同時に、モニター切換器５２もモニター５０に映像信号が供給されるように切り替わる。
【０１１２】
これにより、加算器２５１には左フロント音声信号、加算器２５２には右フロント音声信号、加算器２５３には左サラウンド音声信号、加算器２５４には右サラウンド音声信号、加算器２５５にはフロントセンター音声信号だけがそれぞれ供給されることになり、後段の、特性変更器、増幅器を介してスピーカー４３，４４，４５，４６，４７から出力される音声によってモニター５０を正面とする方向に音像が定位することになる。
【０１１３】
このようにして、音声信号切換配分器３２が備える音量可変器を制御することで、図９に示すようにスピーカー４３には左フロントチャンネル３１Ａから供給される左フロント音声信号の音像４３ａ、スピーカー４４には右フロントチャンネル３１Ｂから供給される右フロント音声信号の音像４４ａ、スピーカー４５には左サラウンドチャンネル３１Ｃから供給される左サラウンド音声信号の音像４５ａ、スピーカー４６には右サラウンドチャンネル３１Ｄから供給される右サラウンド音声信号の音像４６ａ、スピーカー４７にはフロントセンターチャンネル３１Ｅから供給されるフロントセンター音声信号の音像４７ａが各々定位し、５つのスピーカー全体で再現される音像は、モニター５０が設置された矢印Ａの方向を正面として定位することになる。
【０１１４】
続いて、ユーザが操作部４８から映像を出力するモニターをモニター５０からモニター５１に切り換えるよう指示をするコマンドを入力すると、制御部４９からは音声信号切換配分器３２及びモニター切換器５２を制御する制御信号が出力される。
【０１１５】
モニター５１は、矢印Ｃ方向をユーザが正面とする向きに設置されているため、スピーカー４５が左フロントスピーカー、スピーカー４３が右フロントスピーカー、スピーカー４６が左サラウンドスピーカー、スピーカー４４が右サラウンドスピーカーとなる必要がある。
【０１１６】
しかし、５個のスピーカーを空間に配置した場合においては、フロントセンターチャンネル３１Ｅのフロントセンター音声信号の扱いが４個のスピーカーが配置されている場合と異なってくる。
【０１１７】
矢印Ｃ方向を正面にする場合、矢印Ａ方向ではフロントセンタースピーカーとして機能していたスピーカー４７は不要なスピーカーとなってしまう。またフロントセンターチャンネル３１Ｅから供給されるフロントセンター音声信号を供給するフロントセンタースピーカーがフロントスピーカーであるスピーカー４５と、スピーカー４３との間に存在していない。
【０１１８】
このため、フロントセンターチャンネル３１Ｅのフロントセンター音声信号を、矢印Ｂ方向をユーザが正面としたときに左右のフロントスピーカーとなるスピーカー４５と、スピーカー４３に供給することでフロントセンター音声信号の音像をスピーカー４５と、スピーカー４３との間に定位させる必要がある。このとき、フロントセンター音声信号のレベルを３ｄＢ乃至６ｄＢ減衰させて左フロント音声信号および右フロント音声信号に加えるものとする。
【０１１９】
したがって、制御部４９は、ユーザによる操作部４８のモニター５０からモニター５１への切換を指示するコマンドに応じて、音声信号切換配分器３２の音量可変器群２００の音量可変器２０３ａを最大音量とし、それ以外の音量可変器を最小音量となるよう制御し、音量可変器群２１０の音量可変器２１１ｂを最大音量とし、それ以外の音量可変器を最小音量となるよう制御し、音量可変器群２２０の音量可変器２２４ｃを最大音量とし、それ以外の音量可変器を最小音量となるよう制御し、音量可変器群２３０の音量可変器２３２ｄを最大音量とし、それ以外の音量可変器を最小音量となるよう制御し、音量可変器群２４０の音量可変器２４１ｅと、音量可変器２４３ｅとの音量を中間音量とし、それ以外の音量可変器を最小音量となるよう制御する。
【０１２０】
また、音声信号切換配分器３２で上記制御動作が行われると同時に、モニター切換器５２もモニター５１に映像信号が供給されるように切り替わる。
【０１２１】
これにより、加算器２５３には左フロント音声信号、加算器２５１には右フロント音声信号、加算器２５４には左サラウンド音声信号、加算器２５２には右サラウンド音声信号が供給され、さらに加算器２５３と、加算器２５１にはフロントセンター音声信号が所定の音量レベルで供給されるため、後段の、特性変更器、増幅器を介してスピーカー４３，４４，４５，４６，４７から出力される音声によってモニター５１を正面とする方向に音像が定位することになる。
【０１２２】
このようにして、音声信号切換配分器３２が備える音量可変器を制御することで、図１０に示すようにスピーカー４５には左フロントチャンネル３１Ａから供給される左フロント音声信号の音像４５ｂ、スピーカー４３には右フロントチャンネル３１Ｂから供給される右フロント音声信号の音像４３ｂ、スピーカー４６には左サラウンドチャンネル３１Ｃから供給される左サラウンド音声信号の音像４６ｂ、スピーカー４４には右サラウンドチャンネル３１Ｄから供給される右サラウンド音声信号の音像４４ｂ、さらに、スピーカー４５と、スピーカー４３には、フロントセンターチャンネル３１Ｅから供給されるフロントセンター音声信号の音像４７ｂが各々定位し、４つのスピーカー全体で再現される音像はモニター５１が設置された矢印Ｃの方向を正面として定位することになる。
【０１２３】
したがって、モニター５０が設置されている方向である矢印Ａ方向を正面とした場合に５つのスピーカーで得られる音像配置と同等の音像配置を、モニター５１が設置されている方向である矢印Ｃ方向を正面とした場合に、スピーカー４３，４４，４５，４６の４つのスピーカーで実現することができる。
【０１２４】
なお、上述の説明において、モニター５０，５１を切り換えるコマンドに応じて、音声信号切換配分器３２が連動して動作するように記述しているが、モニター５０，５１の切換動作と、音声信号切換配分器３２の動作は、それぞれ異なるコマンドを操作部４８から入力することで独立して実行するようにしてもよい。
【０１２５】
また、本発明の第１の実施の形態として示した再生システム１０、第２の実施の形態として示した再生システム１０’、第３の実施の形態として示した再生システム３０においては、マルチチャンネルに対応して音声コンテンツが記録された記録媒体（記録媒体１Ａ又は記録媒体１Ｂ）から再生した音声信号を使用しているが、本発明はこれに限定されるものではなく、例えば、放送局などから送信される音声信号を受信して使用するようにしてもよい。
【０１２６】
【発明の効果】
以上の説明からも明らかなように、本発明の音声信号供給装置は、所定の空間内に配置された出力装置に対して、上記所定の空間内における任意の方向を正面方向に指定したことに応じて、入力される３つ以上の音声信号の上記各出力装置への信号供給量を出力装置毎に調整して供給することで、出力装置の配置場所の変更、接続結線の変更などの煩雑な作業を必要とせずに簡便な操作で、出力装置から出力される音声による音像の方向を上記指定した正面方向に変更することを可能とする。
【０１２７】
以上の説明からも明らかなように、本発明の音声信号供給方法は、所定の空間内に配置された出力装置に対して、上記所定の空間内における任意の方向を正面方向に指定したことに応じて、入力される３つ以上の音声信号の上記各出力装置への信号供給量を出力装置毎に調整して供給することで、出力装置の配置場所の変更、接続結線の変更などの煩雑な作業を必要とせずに簡便な操作で、出力装置から出力される音声による音像の方向を上記指定した正面方向に変更することを可能とする。
【図面の簡単な説明】
【図１】本発明の第１の実施の形態として示す再生システムの要部構成を説明するための図である。
【図２】同再生システムの音声信号切換配分器の構成を説明するための図である。
【図３】同再生システムの４つのスピーカーを所定の空間内に配置した様子を示した図である。
【図４】本発明の第２の実施の形態として示す再生システムの要部構成を説明するための図である。
【図５】同再生システムの５つのスピーカーを所定の空間内に配置した様子を示した図である。
【図６】本発明の第３の実施の形態として示す再生システムの要部構成を説明するための図である。
【図７】同再生システムの音声信号切換配分器の構成を説明するための図である。
【図８】同再生システムの５つのスピーカー、２つのモニターを所定の空間内に配置した様子を示した図である。
【図９】同再生システムにおいて、矢印Ａ方向を正面とする音像の定位の概念を示した図である。
【図１０】同再生システムにおいて、矢印Ｃ方向を正面とする音像の定位の概念を示した図である。
【図１１】ＩＴＵ−Ｒ（Ｉｎｔｅｒｎａｔｉｏｎａｌ　Ｔｅｌｅｃｏｍｍｕｎｉｃａｔｉｏｎ　Ｕｎｉｏｎ−Ｒａｄｉｏ　ｃｏｍｍｕｎｉｃａｔｉｏｎ　ｓｅｃｔｏｒ）勧告ＢＳ．７７５規格が推奨しているマルチチャンネル再生時のスピーカー配置を示す図である。
【図１２】従来の技術として示す再生システムの要部構成を説明するための図である。
【図１３】同再生システムの４つのスピーカーを所定の空間内に配置した様子を示した図である。
【符号の説明】
１Ａ，１Ｂ　記録媒体、１０，１０’，３０　再生システム、１１，１１，３１’　信号処理部、１２，３２　音声信号切換配分器、２１，２２，２３，２４，４３，４４，４５，４６，４７　スピーカー、２５，２５’，４８　操作部、２６，２６’，４９　制御部、２７，２８，５０，５１　モニター、２９，５２
モニター切換器
【図１】
2004023674.tif 000003
【図２】
2004023674.tif 000004
【図３】
2004023674.tif 000005
【図４】
2004023674.tif 000006
【図５】
2004023674.tif 000007
【図６】
2004023674.tif 000008
【図７】
2004023674.tif 000009
【図８】
2004023674.tif 000010
【図９】
2004023674.tif 000011
【図１０】
2004023674.tif 000012
【図１１】
2004023674.tif 000013
【図１２】
2004023674.tif 000014
【図１３】
2004023674.tif 000015